(57)【要約】      （修正有）【課題】低工事費、短工期、ランニングコスト不要、通信速度の高速化、回線変更が容易、超長距離間での管理を可能とする空調集中管理システムを提供する。【解決手段】空調集中管理用コンピュータと離れた地点にある空調機器コントローラ間とを無線（電波）ＬＡＮにより接続する。また、無線ＬＡＮによる接続を行うため、有線におけるＲＳ２３２Ｃ、ＲＳ４２２、ＲＳ４８５の制御信号をイーサネット信号に変換および再変換する機能を持たせた信号変換装置を管理用コンピュータ側と空調機器コントローラ側とにそれぞれ設ける。また、イーサネットに制御信号を変換するため、一般のイーサネットに信号を乗せることにより、超長距離での空調管理も可能である。【選択図】図３
0003108203.tif 000002
【実用新案登録請求の範囲】
【請求項１】
空調集中管理用コンピュータと離れた地点にある空調機器コントローラ間とを無線（電波）ＬＡＮにより接続したことを特徴とする空調集中管理システム。
【請求項２】
前記無線ＬＡＮによる接続を行うため、有線におけるＲＳ２３２Ｃ、ＲＳ４２２、ＲＳ４８５の制御信号をイーサネット信号に変換および再変換する機能を持たせた信号変換装置を管理用コンピュータ側と空調機器コントローラ側とにそれぞれ設けたことを特徴とする請求項１記載の空調集中管理システム。このシステムは管理用コンピュータと空調機器コントローラには一切手を加えず、信号変換装置を接続するだけで使用可能である。
【考案の詳細な説明】
【技術分野】
【０００１】  この考案は、有線における制御信号、ＲＳ２３２Ｃ、ＲＳ４２２、ＲＳ４８５を無線ＬＡＮにおける制御信号（イーサネット）に変換および再変換するための信号変換装置に関する。
【背景技術】
【０００２】  従来の空調集中管理システムは管理用コンピュータと離れた地点にある空調機器コントローラ間とを図２に示すようにケーブル２（有線）により接続しているが、制御信号の減衰、遅延が問題となり距離的な制限がある。制御信号はＲＳ２３２Ｃ、ＲＳ４２２、ＲＳ４８５のいずれかである。
【考案の開示】
【考案が解決しようとする課題】
【０００３】しかしながら、以上の技術によれば、ＲＳ２３２Ｃ、ＲＳ４２２、ＲＳ４８５の信号は一般では１５ｍという距離制限もありそれ以上の距離の場合、信号をモデムで変換し電話回線を使用しなければならず、通信速度の低下、ランニングコストの発生がある。また、ケーブル敷設に伴う高額の費用と長い工事期間が必要となる。
そこで、この考案は、低工事費、短工期、ランニングコスト不要、通信速度の高速化、回線変更が容易、超長距離間での管理を可能とする空調集中管理システムを提供することを課題とする。
【課題を解決するための手段】
【０００４】  以上の課題を解決するために、第一考案は、空調集中管理用コンピュータと離れた地点にある空調機器コントローラ間とを無線（電波）ＬＡＮにより接続したことを特徴とする空調集中管理システム。
また、第二考案は、前記無線（電波）ＬＡＮによる接続を行うため、有線におけるＲＳ２３２Ｃ、ＲＳ４２２、ＲＳ４８５の制御信号をイーサネット信号に変換および再変換する機能を持たせた信号変換装置を管理用コンピュータ側と空調機器コントローラ側とにそれぞれ設けたことを特徴とする空調集中管理システム。
通常、信号変換（デバイス変換）の場合、管理用コンピュータ内に仮想デバイスを作らなければならない。しかし、この信号変換器を使用することにより管理用コンピュータと空調機器コントローラに一切手を加えずイーサネットを使った空調集中管理が可能である。
【考案の効果】
【０００５】  第一考案、または第二考案によれば、低工事費、短工期、ランニングコスト不要、通信速度の高速化、回線変更が容易、超長距離間での空調集中管理が可能となった。
【考案を実施するための最良の形態】
【０００６】  この考案の一実施形態を、図３に示す。
空調集中管理用コンピュータ１と離れた地点にある空調機器コントローラ３との間にＲＳ２３２Ｃ制御信号をイーサネット信号に変換および再変換する信号変換装置５が空調集中管理用コンピュータ１側と空調機器コントローラ３側に設けられている。イーサネット信号に変換および再変換された制御信号は無線（電波）ＬＡＮユニットに送られ無線ブリッジ８を介して制御回線が構築される。
信号変換装置（デバイス変換装置）５の一実施形態を、図４に示す。
ＲＳ２３２Ｃおよびイーサネット信号はプロトコル変換ボードにてそれぞれ変換および再変換されるが占有のＩＰアドレスを持たせているため、一つの制御回線に他メーカの管理端末が混在しても個々の保守端末を的確に認識し誤動作、誤認識を起こしません。【０００７】「実施形態の効果」
この実施形態によれば、制御ケーブル敷設の必要が無いため工事期間の短縮、回線変更の簡略化、ランニングコスト不要、制御の高速化、一般のイーサネットを利用すると超長距離の集中管理が可能となる。また、この信号変換装置は空調管理に限らずその他保守、制御、管理などで制御信号をＲＳ２３２Ｃ、ＲＳ４２２、ＲＳ４８５等を使用している端末であれば対応可能である。将来の発展利用として小型移動端末を利用した保守管理端末を導入すれば各現場での保守確認作業を容易に行うことができます。また、緊急状況もその場で知ることができます。【０００８】「他の実施形態」
図２の実施形態では、モデムを介し一般の電話回線を利用することにより通信距離を延長できるがランニングコストがかかる。通信速度が低下する等の課題がある。
【図面の簡単な説明】
【０００９】
【図１】従来の空調集中管理システムの全体構成を示す図である。
【図２】従来の空調集中管理システムで通信距離を延長する場合のシステム全体構成を示す図である。
【図３】本考案を適用した空調集中管理システムの全体構成を示す図である。
【図４】図３の信号変換装置の構成を示す図である。
【符号の説明】
【００１０】    １  空調集中管理用コンピュータ  ３  空調機器コントローラ
４  空調機器郡    ５  信号変換装置    ７  無線ＬＡＮユニット
８  無線ブリッジ  ２  ＲＳ２３２Ｃ制御線  ６  イーサネット制御線
【図１】
0003108203.tif 000003
【図２】
0003108203.tif 000004
【図３】
0003108203.tif 000005
【図４】
0003108203.tif 000006
【手続補正書】
【提出日】平成16年8月17日(2004.8.17)
【手続補正１】
【補正対象書類名】実用新案登録請求の範囲
【補正対象項目名】全文
【補正方法】変更
【補正の内容】
【実用新案登録請求の範囲】
【請求項１】
空調集中管理用コンピュータと、これより離れた地点にある空調機器コントローラとの間を無線ＬＡＮにより接続し、前記空調集中管理用コンピュータによって、前記空調機器コントローラを制御可能としたことを特徴とする、無線ＬＡＮによる空調集中管理システム。
【請求項２】
前記無線ＬＡＮによる接続を行うため、有線におけるＲＳ２３２Ｃ，ＲＳ４２２，ＲＳ４８５等の制御信号をイーサネット信号に変換および再変換する機能を持たせた信号変換装置を空調集中管理用コンピュータ側と空調機器コントローラ側とにそれぞれ設け、これら信号変換装置には各々アンテナを有する無線ＬＡＮユニットを配設し、このアンテナ間で前記制御信号もしくはイーサネット信号を電波信号として送受することにより空調機器コントローラを制御するようにしたことを特徴とする請求項１記載の無線ＬＮによる空調集中管理システム。
【手続補正２】
【補正対象書類名】明細書
【補正対象項目名】全文
【補正方法】変更
【補正の内容】
【考案の詳細な説明】
【技術分野】
【０００１】  この考案は、離れた地点にある空調機器コントローラを電波による無線ＬＡＮで制御する空調集中管理システムに関する。更に詳しくは、無線ＬＡＮによる接続を行うため、有線における制御信号を無線ＬＡＮにおける制御信号であるイーサネット信号に変換および再変換するための信号変換装置を、管理用コンピュータ側と空調機器コントローラ側にそれぞれ設けた無線ＬＡＮによる空調集中管理システムに関する。
【背景技術】
【０００２】  従来の空調集中管理システムについては、その全体構成を図１に示し、図２に通信距離を伸ばす場合の内容が示されている。すなわち図１では、空調集中管理用コンピュータ１と空調機器コントローラ３は制御信号用ケーブル２で接続されている。空調機器コントローラ３には制御される空調機器１２、・・・・Ｎが接続されている。また、図２によれば、通信距離を延長させる場合の従来技術であって、空調集中管理用コンピュータ１と空調機器コントローラ３を結ぶ線路上に交換機５０を配置し、当該交換機５０と空調集中管理用コンピュータ１の間と、交換機５０と空調機器コントローラ３の間にそれぞれモデム２０を配置している。これにより空調集中管理用コンピュータ１と離れた地点にある空調機器コントローラ３との間を、制御信号用ケーブル２、３０により接続しているが、ケーブルを用いることによる制御信号の減衰や遅延が問題となり、そのため管理用のコンピュータと空調機器コントローラとの距離におのずと制限があった。なお、制御信号はＲＳ２３２Ｃ，ＲＳ４２２，ＲＳ４８５等のいずれかである。
【考案の開示】
【考案が解決しようとする課題】
【０００３】  しかしながら、前記従来技術によれば、ＲＳ２３２Ｃ，ＲＳ４２２，ＲＳ４８５等の信号はそれぞれ距離制限があり、例えば、ＲＳ２３２Ｃは１５ｍ、ＲＳ４２２およびＲＳ４８５は１．２ｋｍの距離制限となっておりそれ以上の距離を伸ばすためには、前記信号をモデムで変換し電話回線を使用しなければならないため、通信速度が低下するばかりか、電話回線使用料としてのランニングコストが発生するため、設備の運営に大きな課題となっていた。また、ケーブル敷設に伴う高額の費用と長期の工事期間が必要となるなどの課題もあった。
そこで、この考案は、低工事費、短工期、ランニングコスト不要、通信速度の高速化、回線変更が容易、超長距離間での管理を可能とする空調集中管理システムを提供する事を目的とするものである。
【課題を解決するための手段】
【０００４】  このような課題を解決するため、考案者らは以下のような提案をなした。つまり、請求項１の考案は、空調集中管理用コンピュータと離れた地点にある空調機器コントローラとの間を電波による無線ＬＡＮで接続し、前記空調集中管理用コンピュータによって、前記空調機器コントローラを制御可能としたことを特徴とする、無線ＬＡＮによる空調集中管理システムである。
また、請求項２の考案は、請求項１の考案による無線ＬＡＮ接続を行うため、有線におけるＲＳ２３２Ｃ，ＲＳ４２２，ＲＳ４８５等の制御信号をイーサネット信号に変換および再変換する機能を持たせた信号変換装置を管理用コンピュータ側と空調機器コントローラ側とにそれぞれ設け、これら信号変換装置には各々アンテナを有する無線ＬＡＮユニットを配設し、このアンテナ間で前記制御信号若しくはイーサネット信号を電波信号として送受ことにより、空調機器コントローラを制御するようにしたことを特徴とする請求項１記載の、無線ＬＡＮによる空調集中管理システムである。
通常、信号変換（デバイス変換）の場合、管理用コンピュータ内に仮想デバイスを作らなければならない。しかし、本考案の信号変換装置を使用することによって管理用コンピュータと空調機器コントローラに一切手を加えずイーサネットを使った空調集中管理が可能である。
【考案の効果】
【０００５】請求項１の考案によれば、管理用コンピュータと空調機器コントローラの間を無線ＬＡＮで接続したので、ケーブル敷設が不要となり低工事費であることとそれに伴って短工期であること、また、電話回線を使わないため、電話使用料などのランニングコストが不要といった効果が得られる。また、請求項２の考案によれば請求項１の考案の効果に加えて、通信速度の高速化、回線変更が容易となり、更にはより長距離間での空調集中管理が可能となるなどの効果が期待できる。
【考案を実施するための最良の形態】
【０００６】  次に、図３を参照しながら本考案の実施形態を説明する。
空調集中管理用コンピュータ１には、空調機器コントローラとの無線ＬＡＮを構築するため、有線におけるＲＳ２３２Ｃ，ＲＳ４２２、ＲＳ４８５等の制御信号をイーサネット信号に変換および再変換する機能を持った信号変換装置５が配置され、これに信号ライン６を介して無線ＬＡＮユニット７が接続されており、この無線ＬＡＮユニット７には電波が送受信されるアンテナ８が搭載もしくは接続されている。
一方、空調機器コントローラ３にも、管理用コンピュータ側と対峙して信号変換装置５と、アンテナ８を搭載もしくは接続した無線ＬＡＮユニット７が配置されている。
これにより、ＲＳ２３２Ｃなどの制御信号をイーサネット信号に変換および再変換された制御信号は、無線ＬＡＮユニットに送られ、アンテナ８を介して制御回線が構築される。  次に、信号変換装置（デバイス変換装置）５の一実施形態を図４に基づいて説明する。たとえば、有線におけるＲＳ２３２Ｃ信号およびこれのイーサネット信号はプロトコルボード１０にてそれぞれ変換及び再変換されるが、占有のＩＰアドレスを持たせているため、一つの制御回線に他メーカーの管理端末が混在しても個々の保守端末を的確に確認し誤動作、誤認識を起こさないようになっている。【０００７】「実施形態の考果」
この実施形態によれば、「考案の効果」で説明した効果が得られるばかりか、将来の発展利用として、小型移動端末を利用した保守管理端末を導入する事によって各現場での保守確認作業を容易に行うことが出来る。又、緊急状況もその場で知る事が出来る。【０００８】  「他の実施形態」
プロトコル変換ボード１０において、実施例では制御信号をイーサネット信号に変換する例をもって説明したが、例えば１０Ｂａｓｅ−Ｔシステムなど多くのＬＡＮシステムに対応できることは云うまでもない。
【図面の簡単な説明】
【０００９】
【図１】従来の空調集中管理システムの全体構成図を示す図である。
【図２】従来の空調集中管理システムで通信距離を延長する場合のシステム全体構成を示す図である。
【図３】本考案を適用した空調集中管理システムの全体構成を示す図である。
【図４】図３の信号変換装置の構成を示す図である。
【符号の説明】
【００１０】１  空調集中管理用コンピュータ
２  制御信号用ケーブル
３  空調機器コントローラ
４  空調機器
５  信号変換装置
６  イーサネット制御線
７  無線ＬＡＮユニット
８  アンテナ